【手続補正書】
【提出日】平成18年5月23日(2006.5.23)
【手続補正１】
【補正対象書類名】明細書
【補正対象項目名】発明の名称
【補正方法】変更
【補正の内容】
【発明の名称】自動車用レーダ装置およびその取付方向調整方法
【手続補正２】
【補正対象書類名】明細書
【補正対象項目名】特許請求の範囲
【補正方法】変更
【補正の内容】
【特許請求の範囲】
【請求項１】  探査を行う機能部分と、基準面とを有する筐体と、
複数の補正面を有する補正用部材と、
前記筐体の車体取付時に、前記基準面および前記各補正面のうち、いずれの面に取付方向調整器を装着すべきかを選択する情報を表示する選択用表示とを含むことを特徴とする自動車用レーダ装置。
【請求項２】  前記補正用部材は、前記基準面に前記取付方向調整器を装着する際に、該基準面に装着される装着面さらに有することを特徴とする請求項１記載の自動車用レーダ装置。
【請求項３】  前記各補正面は、前記装着面に対する傾斜角度が互いに異なることを特徴とする請求項２記載の自動車用レーダ装置。
【請求項４】  前記補正部材は、複数であり、各補正部材はそれぞれ単一の補正面を有することを特徴とする請求項１記載の自動車用レーダ装置。
【請求項５】  前記選択用表示は、補正用部材を基準面に装着する向きを含めて表示することを特徴とする請求項１記載の自動車用レーダ装置。
【請求項６】  前記筐体は、補正用部材と一体に形成されることを特徴とする請求項１記載の自動車用レーダ装置。
【請求項７】  前記選択用表示は、補正面のいずれか１つに着色された色を情報として表示することを特徴とする請求項１記載の自動車用レーダ装置。
【請求項８】  前記各補正面は、互いに異なる色に塗分けられ、
前記選択用表示は、前記異なる色のいずれか１つの色を情報として表示することを特徴とする請求項１記載の自動車用レーダ装置。
【請求項９】  前記機能部分は、電磁波を照射することを特徴とする請求項１記載の自動車用レーダ装置。
【請求項１０】  前記選択用表示は、筐体の車体取付時に、前記機能部分が照射する電磁波のビーム軸の方向と、予め定める基準方向とを一致させるための情報を表示することを特徴とする請求項９記載の自動車用レーダ装置。
【請求項１１】  車体に装着されるブラケットをさらに含み、
前記筐体は、ねじ孔が形成され、
前記ブラケットは、前記ねじ孔に対応する位置に調整孔および取付孔が形成され、
調整孔は、長孔であることを特徴とする請求項１に記載の自動車用レーダ装置。
【請求項１２】  前記取付方向調整器は、水準器であることを特徴とする請求項１に記載の自動車用レーダ装置。
【請求項１３】  探査を行う機能部分と、基準面とを有する筐体と、
前記筐体の車体取付時に、取付方向調整器が装着される補正面を有する補正用部材とを含むことを特徴とする自動車用レーダ装置。
【請求項１４】  前記機能部分は、電磁波を照射することを特徴とする請求項１３に記載の自動車用レーダ装置。
【請求項１５】  前記補正面は、前記筐体の車体取付時に、前記機能部分が照射する電磁波のビーム軸の方向と、予め定める基準方向とを一致させるために、取付方向調整器が装着されることを特徴とする請求項１４に記載の自動車用レーダ装置。
【請求項１６】  前記補正用部材は、前記基準面に前記取付方向調整器を装着する際に、該基準面に装着される装着面さらに有し、
前記補正面は、前記装着面に対して傾斜していることを特徴とする請求項１３記載の自動車用レーダ装置。
【請求項１７】  請求項１に記載の自動車用レーダ装置を車体に取付ける取付方向調整方法であって、
選択用表示に基づいた補正面または基準面に取付方向調整器を装着し、
装着された取付方向調整器に基づいて、取付方向調整期が装着された面が所定の角度となるように、筐体の車体に対する取付方向を調整することを特徴とする自動車用レーダ装置の取付方向調整方法。
【手続補正３】
【補正対象書類名】明細書
【補正対象項目名】０００１
【補正方法】変更
【補正の内容】
【０００１】
【発明の属する技術分野】
本発明は、自動車の車体に取付けて使用する自動車用レーダ装置およびその取付方向調整方法に関する。
【手続補正４】
【補正対象書類名】明細書
【補正対象項目名】０００７
【補正方法】変更
【補正の内容】
【０００７】
本発明の目的は、簡単で低価格に探査方向の調整が可能になる自動車用レーダ装置およびその取付方向調整方法を提供することである。
【手続補正５】
【補正対象書類名】明細書
【補正対象項目名】０００８
【補正方法】変更
【補正の内容】
【０００８】
【課題を解決するための手段】
本発明は、探査を行う機能部分と、基準面とを有する筐体と、
複数の補正面を有する補正用部材と、
前記筐体の車体取付時に、前記基準面および前記各補正面のうち、いずれの面に取付方向調整器を装着すべきかを選択する情報を表示する選択用表示とを含むことを特徴とする自動車用レーダ装置である。
【手続補正６】
【補正対象書類名】明細書
【補正対象項目名】０００９
【補正方法】変更
【補正の内容】
【０００９】
本発明に従えば、自動車用レーダ装置は、筐体と、補正用部材と、選択用表示とを含む。選択用表示は、前記筐体の車体取付時に、取付方向調整器を装着すべき面を選択するための情報を表示する。したがって自動車用レーダ装置には、筐体の基準面に取付方向調整器を設置して、筐体の車体への取付方向を調整する際に、選択用表示に基づいて調整することができる。取付方向調整器を装着すべき基準面または補正面は、予め設定されるので、取付方向調整器を前記面に装着して、筐体を車体に取付ける方向の調整を行うだけで、車体に対して所定の探査が可能となり、探査の方向を直接測定しながら取付方向を調整する必要はなく、簡単で低価格に探査方向の調整が可能になる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
さらに本発明は、前記自動車用レーダ装置を車体に取付ける取付方向調整方法であって、
選択用表示に基づいた補正面または基準面に取付方向調整器を装着し、
装着された取付方向調整器に基づいて、取付方向調整期が装着された面が所定の角度となるように、筐体の車体に対する取付方向を調整することを特徴とする自動車用レーダ装置の取付方向調整方法である。
【手続補正２４】
【補正対象書類名】明細書
【補正対象項目名】００２７
【補正方法】変更
【補正の内容】
【００２７】
本発明に従えば、選択用表示に基づいた面に取付方向調整器を装着し、取付方向調整器に基いて筐体の取付方向を調整する。したがって選択用表示によって表示される情報に基づいて、取付方向調整器を装着すべき面が選択されるので、ずれの程度を補正して、筐体を車体に取付ける方向の調整を行うことができる。選択用表示に基づく面で補正を行いながら、筐体を車体に取付ける方向の調整を行うだけで、機能部分が探査する方向を直接測定しながら取付方向を調整する必要はなく、簡単で低価格に探査方向の調整が可能になる。
【手続補正２５】
【補正対象書類名】明細書
【補正対象項目名】００４６
【補正方法】変更
【補正の内容】
【００４６】
以上の説明では、基準面を水平にするように取付角度を調整しているけれども、鉛直方向など、他の方向を基準にすることもできる。また、車体の特定の部分を基準に取付方向を調整することもできる。さらに、基準面が路面から所定の高さにあるように調整する際に、筐体内での誤差を補正するスペーサなどを用いて、ビーム軸１ａの路面からの高さなどを、所定値に合わせるように調整することもできる。
本発明は、次の実施の形態が可能である。
（１）予め定める方向の探査が可能なように、自動車の車体に取付ける際に、取付方向の調整を行う自動車用レーダ装置において、
探査を行う機能部分が内蔵され、探査の方向を調整するための基準として使用可能な基準面を外表面に有する筐体を備え、
基準面に取付方向調整器を装着して行う車体取付時の筐体の取付方向の調整に関し、予め測定される探査の方向の筐体に対するずれの程度に基づき、予め定める複数段階のずれ補正の量のうちでいずれを選択すべきかの情報が添付もしくは表示されることを特徴とする自動車用レーダ装置。
予め定める方向の探査が可能なように自動車の車体に取付ける自動車用レーダ装置で、探査を行う機能部分は筐体に内蔵される。筐体には、探査の方向を調整するために使用する所定の取付方向調整器を設置すべき基準面が外表面に形成される。自動車用レーダ装置には、筐体の基準面に取付方向調整器を設置して、筐体の車体への取付方向を調整する際に、筐体に対して探査の方向が所定の方向からずれる程度を補正するために選択を行うための情報が、製造工場などの供給者側でずれの程度を測定した結果に基づいて添付もしくは表示される。ずれの補正は、予め定める複数段階のうちのいずれかを選択して行う。選択された補正を行い、取付方向調整器を装着して、筐体を車体に取付ける方向の調整を行うだけで、車体に対して該予め定める方向の探査が可能となり、探査の方向を直接測定しながら取付方向を調整する必要はなく、簡単で低価格に探査方向の調整が可能になる。
自動車用レーダ装置には、筐体の基準面に取付方向調整器を装着して、筐体の車体への取付方向を調整する際に、筐体に対して探査の方向が所定の方向からずれる程度を補正するために選択を行うための情報が添付もしくは表示される。予め定める複数段階のうちのいずれかを選択して補正を行い、取付方向調整器を装着して、筐体を車体に取付ける方向の調整を行うだけで、車体に対して予め定める方向の探査が可能となるので、探査の方向を直接測定しながら取付方向を調整する必要はなく、簡単で低価格に探査方向の調整を行うことができる。
（２）前記基準面に前記取付方向調整器を装着する際に用いられ、該基準面に装着する装着面と、装着面に対して前記複数段階のずれ補正の量に対応するように形成され、取付方向調整器をそれぞれ装着可能な該複数の補正面とを有し、前記ずれ補正の量のうちでいずれを選択すべきかの情報として、該複数の補正面のいずれを選択すべきかの表示を有する補正用部材が添付もしくは装着されることを特徴とする自動車用レーダ装置。
自動車用レーダ装置に、筐体を自動車の車体に取付ける際に、筐体の基準面に装着して、取付方向調整器の装着に対するずれの補正を行うための補正用部材を、添付もしくは装着しておく。補正用部材は、基準面に装着する装着面と、装着面に対して前記複数段階のずれ補正の量に対応するように形成され、取付方向調整器をそれぞれ装着可能な該複数の補正面とを有する。いずれの補正面を選択すべきかの情報も添付もしくは装着されるので、筐体を自動車の車体に取付ける際に、基準面に補正用部材を装着し、添付されている情報に従って選択される補正面に取付方向調整器を装着して取付方向を調整すれば、探査の方向を直接測定しながら取付方向を調整する必要はなく、簡単で低価格に探査方向の調整が可能になる。
自動車用レーダ装置に、取付方向調整器を筐体の基準面に装着する際にずれの補正を行うための補正用部材を添付もしくは装着しておく。補正用部材は、複数段階のずれ補正の量に対応するように形成され、取付方向調整器をそれぞれ装着可能な複数の補正面を有し、いずれの補正面を選択すべきかの情報も添付されるので、筐体を自動車の車体に取付ける際に、選択される補正面に取付方向調整器を装着して取付方向を調整すれば、探査の方向を直接測定しながら取付方向を調整する必要はなく、簡単で低価格に探査方向の調整を行うことができる。
（３）前記基準面に前記取付方向調整器を装着する際に用いられ、該基準面に装着する装着面と、装着面に対して前記複数段階のずれ補正の量に対応するように形成され、取付方向調整器をそれぞれ装着可能な該複数の補正面とを有する補正用部材で、該複数の補正面のいずれを選択すべきかの情報であることを特徴とする自動車用レーダ装置。
自動車用レーダ装置の筐体の基準面に取付方向調整器を装着する際に用いられる補正用部材について、複数段階のずれ補正の量に対応するように形成され、取付方向調整器をそれぞれ装着可能な複数の補正面の選択を行うための情報が添付される。補正用部材を介して取付方向調整具を筐体の基準面に装着する際に、添付されている情報に従って補正面を選択し、選択された補正面に取付方向調整器を装着して、筐体を車体に取付ける方向の調整を行うだけで、車体に対して該予め定める方向の探査が可能となり、探査の方向を直接測定しながら取付方向を調整する必要はなく、簡単で低価格に探査方向の調整が可能になる。
自動車用レーダ装置に、取付方向調整器を筐体の基準面に装着する際にずれの補正を行う補正用部材の複数の補正面を選択するための情報を添付しておく。補正用部材には、複数段階のずれ補正の量に対応するように形成され、取付方向調整器をそれぞれ装着可能な複数の補正面が形成されている。筐体を自動車の車体に取付ける際に、添付される情報に従って選択される補正面に取付方向調整器を装着して取付方向を調整すれば、探査の方向を直接測定しながら取付方向を調整する必要はなく、簡単で低価格に探査方向の調整を行うことができる。
（４）前記ずれ補正の量のうちでいずれを選択すべきかの情報は、前記基準面に前記取付方向調整器を装着する際に用いられ、該基準面に装着する装着面と、装着面に対して前記複数段階のずれ補正の量にそれぞれ対応するように形成され、取付方向調整器を装着可能な補正面とを有する該複数の補正用部材のうちのいずれを選択すべきかの情報であることを特徴とする自動車用レーダ装置。
自動車用レーダ装置の筐体の基準面に取付方向調整器を装着する際に用いられる補正用部材は、複数段階のずれ補正の量に対応するようにそれぞれ形成されている。複数の補正用部材の選択を行うための情報が添付されるので、取付方向調整具を筐体の基準面に装着する際に、添付されている情報に従って補正用部材を選択し、選択された補正用部材を介して取付方向調整器を筐体の基準面に装着して、筐体を車体に取付ける方向の調整を行うだけで、車体に対して該予め定める方向の探査が可能となり、探査の方向を直接測定しながら取付方向を調整する必要はなく、簡単で低価格に探査方向の調整が可能になる。
自動車用レーダ装置の筐体の基準面に取付方向調整器を装着する際に、複数の補正用部材を用意しておき、複数段階のずれ補正の量に対応させる。自動車用レーダ装置には、複数の補正用部材の選択を行うための情報が添付されるので、筐体を自動車の車体に取付ける際に、添付される情報に従って選択される補正用部材を介して取付方向調整器を装着し、取付方向を調整すれば、探査の方向を直接測定しながら取付方向を調整する必要はなく、簡単で低価格に探査方向の調整を行うことができる。
（５）前記ずれ補正の量のうちでいずれを選択すべきかの情報は、前記筐体を車体に取付ける際に、前記基準面に装着して車体の取付方向の調整に用いられ、該基準面への装着で前記複数段階のずれ補正のうちのいずれかがなされるようにそれぞれ形成される該複数の取付方向調整器のうちのいずれを選択すべきかの情報であることを特徴とする自動車用レーダ装置。
自動車用レーダ装置の筐体の基準面に装着する取付方向調整器は、複数段階のずれ補正の量に対応するようにそれぞれ形成されている。複数の取付方向調整器の選択を行うための情報が添付されるので、添付されている情報に従って選択される取付方向調整器を筐体の基準面に装着して、筐体を車体に取付ける方向の調整を行うだけで、車体に対して該予め定める方向の探査が可能となり、探査の方向を直接測定しながら取付方向を調整する必要はなく、簡単で低価格に探査方向の調整が可能になる。
自動車用レーダ装置の筐体の基準面に複数のうちから選択される取付方向調整器を装着する。各取付方向調整器は、複数段階のずれ補正の量に対応するようにそれぞれ形成されているので、添付されている情報に従って選択される取付方向調整器を筐体の基準面に装着して、筐体を車体に取付ける方向の調整を行うだけで、車体に対して該予め定める方向の探査が可能となり、探査の方向を直接測定しながら取付方向を調整する必要はなく、簡単で低価格に探査方向の調整を行うことができる。
（６）前記取付方向調整器は、前記ずれの補正を前記基準面に装着する際の向きの違いで前記複数段階のずれ補正が可能であり、
前記ずれ補正の量のうちでいずれを選択すべきかの情報は、該向きの違いのいずれを選択すべきかの情報であることを特徴とする自動車用レーダ装置。
取付方向調整器は、筐体の基準面に装着する向きに応じて異なるずれの補正の量に対応しているので、添付されている情報に従って基準面に装着する向きを選択し、一つの取付方向調整器で複数の段階のずれに対する補正に対応させることができる。
添付されている情報に従って基準面に装着する向きを選択し、一つの取付方向調整器で複数の段階のずれに対する補正に対応させることができる。
（７）前記筐体の基準面は、前記予め定める複数段階のずれ補正の量にそれぞれ対応して、該ずれを補正するように形成される該複数の区画を有し、
前記ずれ補正の量のうちでいずれを選択すべきかの情報として、該複数の区画のいずれを選択すべきかの表示を有することを特徴とする自動車用レーダ装置。
自動車用レーダ装置の筐体には、予め定める複数段階のずれ補正の量にそれぞれ対応して、ずれを補正するように形成される複数の区画を有する基準面が形成される。添付される情報に従って、区画を選択し、選択された区画に取付方向調整器を装着して、筐体を自動車の車体に取付ける際の調整を行うだけで、車体に対して該予め定める方向の探査が可能となり、探査の方向を直接測定しながら取付方向を調整する必要はなく、簡単で低価格に探査方向の調整が可能になる。
自動車用レーダ装置の筐体の基準面には、予め定める複数段階のずれ補正の量にそれぞれ対応して、ずれを補正するように形成される複数の区画を有するので、添付される情報に従って区画を選択し、選択された区画に取付方向調整器を装着して、筐体を自動車の車体に取付ける際の調整を行うだけで、車体に対して該予め定める方向の探査が可能となり、探査の方向を直接測定しながら取付方向を調整する必要はなく、簡単で低価格に探査方向の調整を行うことができる。
（８）前記情報として、予め定める色または印が表示されることを特徴とする自動車用レーダ装置。
色や印をずれの補正を行うための情報として表示するので、複数段階の補正の量に、色や印を対応させておき、補正の量の選択を判り易く行うことができる。
複数段階の補正の量に、色や印を対応させておき、補正の量の選択を判り易く行うことができる。
（９）予め定める方向の探査が可能なように、自動車用レーダ装置を自動車の車体に取付ける際に、取付方向の調整を行うために使用される複数の取付方向調整器であって、
自動車用レーダ装置の探査を行う機能部分が内蔵される筐体の外表面に設けられる基準面に装着可能な装着面をそれぞれ備え、
該基準面への装着時に、探査の方向の筐体に対するずれの程度を、該複数の異なる段階でそれぞれ補正可能であり、
自動車用レーダ装置に添付される選択用の情報に従って、いずれかが選択されて自動車用レーダ装置を車体に取付ける際に使用されることを特徴とする取付方向調整器。
自動車用レーダ装置の筐体の基準面に装着する複数の取付方向調整器は、複数段階のずれ補正の量に対応するようにそれぞれ形成されている。自動車用レーダ装置には、複数の取付方向調整器の選択を行うための情報が添付されるので、添付されている情報に従って選択される取付方向調整器を筐体の基準面に装着して、筐体を車体に取付ける方向の調整を行うだけで、車体に対して該予め定める方向の探査が可能となり、探査の方向を直接測定しながら取付方向を調整する必要はなく、簡単で低価格に探査方向の調整が可能になる。
自動車用レーダ装置の筐体の基準面に装着する取付方向調整器は複数用意され、各取付方向調整器は、複数段階のずれ補正の量に対応するようにそれぞれ形成されている。自動車用レーダ装置に添付されている情報に従って取付方向調整器を選択し、筐体の基準面に装着して、筐体を自動車の車体に取付ける際の調整を行うだけで、車体に対して該予め定める方向の探査が可能となり、探査の方向を直接測定しながら取付方向を調整する必要はなく、簡単で低価格に探査方向の調整を行うことができる。
（１０）予め定める方向の探査が可能なように、自動車用レーダ装置を自動車の車体に取付ける際に、取付方向の調整を行う方法であって、
自動車用レーダ装置の供給者側では、探査の方向の筐体に対するずれの程度が、予め定める複数の異なる段階のいずれであるかを、予め判定しておき、
自動車用レーダ装置を車体に取付ける利用者側では、該複数の異なる段階のずれの程度を、それぞれ補正可能なように準備しておき、
該供給者側では、自動車用レーダ装置に該判定の結果を表す情報を添付し、
該利用者側では、添付されている情報に基づいて、ずれの程度を補正する段階を選択して、選択された段階で補正しながら、該筐体を車体に取付ける方向の調整を行うことを特徴とする自動車用レーダ装置の取付方向調整方法。
予め定める方向の探査が可能なように自動車の車体に取付ける自動車用レーダ装置で、探査を行う機能部分は筐体に内蔵され、自動車用レーダ装置の供給者側では、探査の方向の筐体に対するずれの程度が、予め定める複数の異なる段階のいずれであるかを、予め判定しておく。自動車用レーダ装置を車体に取付ける利用者側では、複数の異なる段階のずれの程度を、それぞれ補正可能なように準備しておく。供給者側では、自動車用レーダ装置に判定の結果を表す情報を添付し、利用者側では、添付されている情報に基づいて、ずれの程度を補正する段階を選択して、選択された段階で補正しながら、筐体を車体に取付ける方向の調整を行うことができる。選択された段階で補正を行いながら、筐体を車体に取付ける方向の調整を行うだけで、車体に対して予め定める方向の探査が可能となり、探査の方向を直接測定しながら取付方向を調整する必要はなく、簡単で低価格に探査方向の調整が可能になる。
自動車用レーダ装置の供給者側では、探査の方向の筐体に対するずれの程度が、予め定める複数の異なる段階のいずれであるかを、予め判定し、自動車用レーダ装置を車体に取付ける利用者側では、複数の異なる段階のずれの程度を、それぞれ補正可能なように準備しておく。供給者側から判定の結果を表す情報が添付されるので、利用者側では、添付されている情報に基づいて、ずれの程度を補正する段階を選択して、選択された段階で補正しながら、筐体を車体に取付ける方向の調整を行うことができる。車体に対して予め定める方向の探査が可能となり、探査の方向を直接測定しながら取付方向を調整する必要はなく、簡単で低価格に探査方向の調整を行うことができる。
【手続補正２６】
【補正対象書類名】明細書
【補正対象項目名】００４７
【補正方法】変更
【補正の内容】
【００４７】
【発明の効果】
以上のように本発明によれば、筐体の基準面に取付方向調整器を装着して、筐体の車体への取付方向を調整する際に、選択用表示に基づいて調整することができる。取付方向調整器を装着すべき基準面または補正面は、予め設定されるので、取付方向調整器を前記面に装着して、筐体を車体に取付ける方向の調整を行うだけで、機能部分が探査する方向を予め定める方向に設定可能となるので、探査の方向を直接測定しながら取付方向を調整する必要はなく、簡単で低価格に探査方向の調整を行うことができる。
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】削除
【補正の内容】
【手続補正３５】
【補正対象書類名】明細書
【補正対象項目名】００５６
【補正方法】変更
【補正の内容】
【００５６】
さらに本発明によれば、選択用表示によって表示される情報に基づいて、取付方向調整器を装着すべき面が選択されるので、ずれの程度を補正して、筐体を車体に取付ける方向の調整を行うことができる。これによって機能部分は、車体に対して予め定める方向の探査が可能となり、機能部分が探査する方向を直接測定しながら取付方向を調整する必要はなく、簡単で低価格に探査方向の調整を行うことができる。